(57)【要約】【課題】  異なる洗濯処理液を用いる場合と１つの洗濯処理液を用いる場合の、兼用のタンクトレイを実現可能な洗濯機を提供する。【解決手段】  筐体と、筐体内部に設けられた水槽と、水槽内に洗濯処理液を供給する洗濯処理液供給部と、を有する洗濯機であって、洗濯処理液供給部は、第１洗濯処理液を保持する第１タンクと第１洗濯処理液とは異なる第２洗濯処理液を保持する第２タンクを設置する場合と、洗濯処理液を保持し、第１タンクより体積が大きい第３タンクを設置する場合と、を有するタンクトレイを有し、タンクトレイは、下方に設けられ、設置される第１タンクと第２タンク間に設けられた位置決め凸部を有し、第３タンクは、位置決め凸部に対応する位置に設けた凹部と、を有する。【選択図】  図９
2019187669.tif 000002
【特許請求の範囲】
【請求項１】
筐体と、
前記筐体内部に設けられた水槽と、
前記水槽内に洗濯処理液を供給する洗濯処理液供給部と、を有し、
前記洗濯処理液供給部は、
第１洗濯処理液を保持する第１タンクと第２洗濯処理液を保持する第２タンクを設置する場合と、前記第１洗濯処理液を保持し、前記第１タンクより体積が大きい第３タンクを設置する場合と、を有するタンクトレイを有し、
前記タンクトレイは、
下方に設けられ、設置される前記第１タンクと前記第２タンク間に設けられた位置決め凸部を有し、
前記第３タンクは、
前記位置決め凸部に対応する位置に設けた凹部と、
を有することを特徴とする洗濯機。
【請求項２】
請求項１記載の洗濯機であって、
前記タンクトレイは、下方端部に設けられ、前記第１洗濯処理液を流出する第１ノズルと接続する第１の接続部と、前記第２洗濯処理液を流出する第２ノズルと接続する第２の接続部と、を有し、
前記第３タンクは、前記第１接続部と接続して前記第１洗濯処理液を流出する第１供給口を有し、前記第２接続部と接続されない、又は前記第２接続部へ前記第１洗濯処理液が流出されない、洗濯機。
【請求項３】
請求項２記載の洗濯機であって、
前記第１のタンクは、前記第１接続部と接続して前記第１洗濯処理液を流出する第１供給口を有し、
前記第２のタンクは、前記第２接続部と接続して前記第２洗濯処理液を流出する第２供給口を有する、洗濯機。
【請求項４】
請求項１記載の洗濯機であって、
前記第１のタンク、前記第２のタンク、及び前記第３のタンクは、前記タンクトレイに対して抜き差し可能なタンク把手を有する、洗濯機。
【請求項５】
請求項１記載の洗濯機であって、
前記第１のタンクのタンク把手と前記第２のタンクのタンク把手は、各々、隣り合う側とは反対側に収納する、洗濯機。
【請求項６】
請求項１記載の洗濯機であって、
前記第1洗濯処理液は洗剤であり、前記第2洗濯処理液は柔軟剤である、洗濯機。
【請求項７】
請求項１記載の洗濯機であって、
前記洗濯処理液供給部は前記筐体上面の一方側に配置された、洗濯機。
【請求項８】
請求項７記載の洗濯機であって、
前記水槽内に洗濯物を入れて洗濯、脱水を行なう円筒状の回転する回転ドラムが設けられたドラム型である、洗濯機。
【請求項９】
請求項８記載の洗濯機であって、
前記タンクトレイは、前記水槽より上方に配置された、洗濯機。
【発明の詳細な説明】
【技術分野】
【０００１】
本発明は、衣類等の洗濯を行う洗濯機に関する。
【背景技術】
【０００２】
従来、それぞれのタンクに供給された洗濯処理液である洗剤と柔軟剤とを、洗濯物の量に応じて、適量を自動的に供給する洗濯機を提供することが特許文献１に記載されている。
【先行技術文献】
【特許文献】
【０００３】
【特許文献１】特開2018-11618号公報
【発明の概要】
【発明が解決しようとする課題】
【０００４】
しかし、例えば洗濯物や使用者によっては柔軟剤を使わずに、洗剤のみを使いたいとう要求がある。その場合、柔軟剤を入れるタンクは不要となると共に、最初から、より多い量の洗剤をタンクに充填しておきたいとの要求がある。
【０００５】
本発明の目的は、異なる洗濯処理液を用いる場合と１つの洗濯処理液を用いる場合の、兼用のタンクトレイを実現可能な洗濯機を提供することである。
【課題を解決するための手段】
【０００６】
本発明の洗濯機は、上記目的を達成するため、筐体と、筐体内部に設けられた水槽と、水槽内に洗濯処理液を供給する洗濯処理液自動供給部と、を有し、洗濯処理液供給部は、第１洗濯処理液を保持する第１タンクと第１洗濯処理液とは異なる第２洗濯処理液を保持する第２タンクを設置する場合と、洗濯処理液を保持し、第１タンクより体積が大きい第３タンクを設置する場合と、を有するタンクトレイを有し、タンクトレイは、下方に設けられ、設置される第１タンクと第２タンク間に設けられた位置決め凸部を有し、第３タンクは、位置決め凸部に対応する位置に設けた凹部と、を有する構成とする。
【発明の効果】
【０００７】
本発明によれば、異なる洗濯処理液を用いる場合と１つの洗濯処理液を用いる場合の、兼用のタンクトレイを実現可能な洗濯機を提供出来る。
【図面の簡単な説明】
【０００８】
【図１】本発明に係る洗濯機の斜視図である。
【図２】本発明に係る洗濯機内の詳細構成の一例を示した図である。
【図３】本発明の洗濯機の洗濯処理液供給部の配置構成を示した図である。
【図４】本発明の洗剤及び柔軟剤を貯蔵するタンクトレイの一例を示した図である。
【図５】図４の縦断面構造の一例を示す図である。
【図６】本発明の洗濯タンクの構造の一例を示した図である。
【図７】本発明の柔軟剤タンクの構造の一例を示した図である。
【図８】本発明の洗剤を貯蔵するタンクトレイの一例を示した図である。
【図９】図８の縦断面構造の一例を示す図である。
【図１０】本発明の洗濯タンクの構造の他例を示した図である。
【発明を実施するための形態】
【０００９】
以下、本発明の実施形態を図面により説明する。
【００１０】
図１は、本発明に係る洗濯機の斜視図である。図２は、洗濯機内の詳細構成の一例を示した図であり、図３は、外枠上面の左側に、洗剤や柔軟剤などの洗濯処理液を供給する洗濯処理液供給部の構成例が示された図である。なお、以下の説明において、上下左右前後の方向は図１中に示す上下左右前後の方向を基準とする。
【００１１】
ベース5の上部には鋼板と樹脂成形品で組合わされて構成された外枠2が載せられて洗濯機の筐体1となしている。外枠2の正面には洗濯物を出し入れするドアである蓋体3と前面カバー、及び背面には背面カバーが設けられている。
【００１２】
筐体1内部には水槽6を設け、筐体1の上面一方側（図では左側）には水槽6内に洗濯処理液を供給する洗濯処理液供給部4を設けている。
【００１３】
なお、本実施例では、水槽6の内部には洗濯物を入れて洗濯、脱水を行なう円筒状の回転する回転ドラムが設けられたドラム型の洗濯機の例で説明する。
【００１４】
洗濯機の筐体1の背面近傍の上面には、給水栓が設けられており、水道管を接続して洗濯機本体である筐体1に対して給水を行う。その構成は従来からある洗濯機ないし洗濯乾燥機と同様なので、詳細な説明は省略する。
【００１５】
洗濯処理液供給部4は、図３に記載の通り、洗剤などの洗濯処理液を予め保持しておくタンクトレイ12と、そのタンクトレイ12から自動で所定の量を水槽6内に投入する自動投入部13と、自動とは別に、手動で洗濯処理液を投入するための手動投入部9と、が設けられている。
【００１６】
タンクトレイ12は、一例として、第１洗濯処理液である洗剤を予め保持しておく第１タンクである洗剤タンク7と、第２洗濯処理液である柔軟剤を予め保持しておく第２タンクである柔軟剤タンク8と、が設置できるものになっている。タンクトレイ12にはタンク蓋が設けられ、タンク蓋を開いた開口から洗剤タンク7と柔軟剤タンク8にとを上方に引き抜くことが出来、また再度セットすることができる。なお以下、柔軟剤タンク8と洗剤タンク7との共通の構成を説明する際には、単に「タンク」と称する場合がある。そのタンクの構造の詳細は別途説明する。
【００１７】
また手動投入部9は、手動で水槽6内に投入される洗剤が投入される洗剤投入部10と、柔軟剤が投入される柔軟剤投入部11と、が設けられている。投入された洗剤、柔軟剤は洗濯工程の所定の時点で給水管を経由して給水され、水とともに洗剤供給管を経由して、水槽6内部に投入される。
【００１８】
本実施例においては、洗濯処理液投入部4を洗濯機筐体1の上面に設けたので、タンクの着脱を行うためにユーザが屈む必要はなく、使い易い洗濯機を提供することができる。また、手動投入部9と自動投入部13は両方とも洗濯機の筐体1の上面の左側に配置されることにより、まとまった位置に配置されるため、ユーザの使い勝手がより向上する。また、自動投入部13、タンクトレイ12を水槽6よりも下側に配置した場合、自動投入部13と水槽6を繋ぐ配管から自動投入部13に水が逆流してしまうおそれがあるが、本実施例では、自動投入部13及びタンクトレイ12を水槽6よりも上側に配置しているため、このような逆流のおそれはなく、信頼性の高い洗濯機を提供することが出来る。また、タンクトレイ12内のタンクを筐体1の上面から上下方向に抜き差しすることが出来るため、使い勝手が向上する。
【００１９】
次に、図４〜図１０を用いて、タンクトレイ12内に保持するタンクの構成について説明する。
【００２０】
図４は、タンクトレイ12内に、第１タンクである洗剤タンク7と、第２タンクである柔軟剤タンク8とが保持された図であり、図５は、図４のA-A断面が記された図である。
【００２１】
タンクトレイ12の下方には、洗剤タンク7と、柔軟剤タンク8とが安定に保持されるように、上側に凸状の位置決め凸部14が設けられている。この位置決め凸部14があることで、洗剤タンク7と柔軟剤タンク8のそれぞれがタンクトレイ12内に、どの位置に設置すれば良いかが明確になると共に、タンクトレイ12内でずれることなく安定的に保持することができる。
【００２２】
また、タンクトレイ12の下側には第１接続部22と第２接続部23と設けられ、これら２つの接続部は、水槽6内に洗濯処理液が投入される第１ノズル15と第２ノズル16と接続されている。その第１ノズル15は、そのまま洗剤トレイ7の下側端部に設けた第１供給口17に接続され、第２ノズル16は、柔軟剤トレイ8の下側端部に設けた第２供給口18に接続されており、各タンクに保持された洗剤や柔軟剤がそれぞれの供給口からノズルを介して水槽6内に投入される。
【００２３】
洗剤タンク7と柔軟剤タンク8の構成を図６、図７を用いて説明する。
【００２４】
洗剤タンク7と柔軟剤タンク8には、筐体1の上面から上下方向に抜き差しすることが容易に出来るために、タンク把手である取っ手19が設けれている。取っ手19は、タンクがタンクトレイ12に格納されているときは、タンク側面に倒して収納されている。収納されている際、取っ手19は、隣り合う側とは反対側に収納する、つまり洗剤タンク7の取っ手19は柔軟剤タンク8が配置された側とは反対側の側面に収納され、柔軟剤タンク8の取っ手19は洗剤タンク7が配置された側とは反対側の側面に収納されている。このようにすることで、各タンクの蓋を開ける際に隣のタンクの取っ手が邪魔になることがなく、スムーズに蓋を開いて、タンク内に洗剤や柔軟剤を補充することが出来る。
【００２５】
図４のように、２つのタンクを設けて、洗剤や柔軟剤などの異なる洗濯処理液を使って洗濯する場合もあるが、洗濯物や使用者の好みなどによっては、柔軟剤を用いずに洗剤のみを使う場合もある。
【００２６】
そのように１つの洗濯処理液を用いて洗濯する場合のタンクの例を図８を用いて説明する。
【００２７】
２つの洗濯処理液を用いずに１つの洗濯処理液、例えば洗剤のみを用いる場合、何度も補充しないように、多めの量を保持する、つまり図６の洗剤タンク7より体積が大きい第３タンクである洗剤タンク20を設ける。その際、洗濯処理液の種類、タンクの数によって、タンクトレイ12を変えるのは、コストも高くなり、使用者にとって手間になる。従って、タンクトレイ12は変えずに、タンクが２つの場合でも、１つの場合でも使えるようにする。
【００２８】
図８のB-B断面の構成が図９であり、洗濯タンク20の構成が図１０である。図９、図１０に記載のように、洗剤タンク20の下方には、タンクトレイ12の位置決め凸部14に対応する位置に、凹部21を設けている。凹部21を設けることで、１つの洗剤タンク20はタンクトレイ12に対して、どの位置に設置すれば良いかが明確になると共に、タンクトレイ12内でずれることなく安定的に保持することができる。
【００２９】
また、洗剤タンク20の下方には、図５と同様、第１供給口17を設け、第１ノズル15と接続されて、洗剤タンク20にためられた洗剤を水槽6内に投入する。その際、洗剤タンク20は第２ノズル16やタンクトレイ12の第２接続部23とは接続しない、又は第２接続部23へ第１洗濯処理液である洗剤が流出されない構成とする。それは自動投入部13での洗濯処理液の投入量の制御が、タンク２つの場合と１つの場合とで大きく変更する必要があるためである。但し、自動投入部13での洗濯処理液の投入量の制御をタンク２つの場合と１つの場合とで大きく変更出来れば、１つのタンクであっても、２つの供給口を設け、タンクが２つの場合と同様に、２つのノズルに接続しても良い。
【００３０】
なお、１つのタンクの場合も２つのタンクのときと同様、筐体1の上面から上下方向に抜き差しすることが容易に出来るために、タンク把手である取っ手19が設けれている。取っ手19は、タンクがタンクトレイ12に格納されているときは、タンク側面に倒して収納されている。
【００３１】
以上説明の通り、本発明によれば、異なる洗濯処理液を用いる場合と、１つの洗濯処理液を用いる場合の、兼用のタンクトレイを実現できる洗濯機を提供することができる。
【符号の説明】
【００３２】
1  筐体
2  外枠
3  蓋体
4  洗濯処理液供給部
5  ベース
6  水槽
7  洗剤タンク
8  柔軟剤タンク
9  手動投入部
10  洗剤投入部
11  柔軟剤投入部
12  タンクトレイ
13  自動投入部
14  位置決め凸部
15  第１ノズル
16  第２ノズル
17  第１供給口
18  第２供給口
19  取っ手
20  洗剤タンク
21  凹部
22  第１接続部
23  第２接続部
【図１】
2019187669.tif 000003
【図２】
2019187669.tif 000004
【図３】
2019187669.tif 000005
【図４】
2019187669.tif 000006
【図５】
2019187669.tif 000007
【図６】
2019187669.tif 000008
【図７】
2019187669.tif 000009
【図８】
2019187669.tif 000010
【図９】
2019187669.tif 000011
【図１０】
2019187669.tif 000012